(57)【要約】【課題】ＲＡＷデータに関連付けて記録された現像パラメータの値に異常値が含まれていても、フレームレートを低くするフレームレート変換及び現像を好適に行える画像処理装置を提供する。【解決手段】動画像のＲＡＷデータに対しフレームレートを低くするフレームレート変換を行う変換手段と、フレームレート変換前の動画像のＲＡＷデータに関連付けられた現像パラメータの値に基づいて、フレームレート変換後の動画像のＲＡＷデータの現像に使用する現像パラメータの値を決定する決定手段と、フレームレート変換後の動画像のＲＡＷデータを、前記決定手段により決定された現像パラメータの値を用いて現像する現像手段と、を備え、前記決定手段は、フレームレート変換前の動画像のＲＡＷデータに関連付けられた現像パラメータの値のうちから、異常値を除外して、フレームレート変換後の動画像のＲＡＷデータの現像に使用する現像パラメータの値を決定する。【選択図】図１
2012084956.tif 000002
【特許請求の範囲】
【請求項１】
複数のフレーム画像のＲＡＷデータと、各フレーム画像の撮影時に各フレーム画像のＲＡＷデータに関連付けて記録された現像パラメータの値のデータと、を含む動画像のＲＡＷデータに対し、フレームレートを低くするフレームレート変換を行う変換手段と、
フレームレート変換前の動画像のＲＡＷデータに関連付けられた現像パラメータの値に基づいて、フレームレート変換後の動画像のＲＡＷデータの現像に使用する現像パラメータの値を決定する決定手段と、
フレームレート変換後の動画像のＲＡＷデータを、前記決定手段により決定された現像パラメータの値を用いて現像する現像手段と、
を備え、
前記決定手段は、フレームレート変換前の動画像のＲＡＷデータに関連付けられた現像パラメータの値のうちから、異常値を除外して、フレームレート変換後の動画像のＲＡＷデータの現像に使用する現像パラメータの値を決定することを特徴とする画像処理装置。
【請求項２】
前記決定手段は、フレームレート変換前の動画像の連続するフレーム画像のＲＡＷデータの現像パラメータの値の差の絶対値を求め、求めた差の絶対値が所定の閾値を超える現像パラメータの値を、異常値として除外する請求項１に記載の画像処理装置。
【請求項３】
前記決定手段は、フレームレート変換前の動画像のＲＡＷデータの現像パラメータの値の平均値との差の絶対値が所定の閾値を超える現像パラメータの値を、異常値として除外する請求項１に記載の画像処理装置。
【請求項４】
前記変換手段は、フレームレート変換前の動画像の複数のフレーム画像のＲＡＷデータに基づき、フレームレート変換後の動画像の１枚のフレーム画像のＲＡＷデータを生成することにより、前記フレームレート変換を行い、
前記決定手段は、前記フレームレート変換前の動画像の複数のフレーム画像のＲＡＷデータの現像パラメータの値に基づき、前記フレームレート変換後の動画像の１枚のフレーム画像のＲＡＷデータの現像に用いる現像パラメータの値を決定する請求項１から３のいずれか１項に記載の画像処理装置。
【請求項５】
前記決定手段は、前記フレームレート変換の処理対象の前記複数のフレーム画像のＲＡＷデータに関連付けられた現像パラメータの値から、前記異常値を除外したものを、現像パラメータの値の決定に係る処理対象の現像パラメータの値とし、
（Ａ）前記処理対象の現像パラメータの値の平均値を算出し、それを前記フレームレート変換後の動画像の１枚のフレーム画像のＲＡＷデータの現像に用いる現像パラメータの値として決定する決定方法、
（Ｂ）前記処理対象の現像パラメータの値のうち、前記処理対象の現像パラメータの値の平均値に最も近い値を選択し、それを前記フレームレート変換後の動画像の１枚のフレーム画像のＲＡＷデータの現像に用いる現像パラメータの値として決定する決定方法、
（Ｃ）前記処理対象の現像パラメータの値のうち、撮影時刻が最初又は最後のフレーム画像に関連付けられた現像パラメータの値を選択し、それを前記フレームレート変換後の動画像の１枚のフレーム画像のＲＡＷデータの現像に用いる現像パラメータの値として決定する決定方法、又は、
（Ｄ）前記処理対象の現像パラメータの値のうち、フレームレート変換前の動画像において前記フレームレート変換の処理対象の前記複数のフレーム画像の前又は後に位置するフレーム画像に関連付けられた現像パラメータの値に最も近い値を選択し、それを前記フレームレート変換後の動画像の１枚のフレーム画像のＲＡＷデータの現像に用いる現像パラメータの値として決定する決定方法
のいずれかを用いる請求項４に記載の画像処理装置。
【請求項６】
前記決定手段は、前記フレームレート変換の処理対象の前記複数のフレーム画像のＲＡＷデータに関連付けられた現像パラメータの値が存在しない場合、フレームレート変換前の動画像において前記フレームレート変換の処理対象の前記複数のフレーム画像の前又は後に位置するフレーム画像に関連付けられた現像パラメータの値を、前記フレームレート変換後の動画像の１枚のフレーム画像のＲＡＷデータの現像に用いる現像パラメータの値として決定する請求項４に記載の画像処理装置。
【請求項７】
前記現像パラメータは、ホワイトバランスである請求項１から６のいずれか１項に記載の画像処理装置。
【請求項８】
複数のフレーム画像のＲＡＷデータと、各フレーム画像の撮影時に各フレーム画像のＲＡＷデータに関連付けて記録された現像パラメータの値のデータと、を含む動画像のＲＡＷデータに対し、フレームレートを低くするフレームレート変換を行う変換工程と、
フレームレート変換前の動画像のＲＡＷデータに関連付けられた現像パラメータの値に基づいて、フレームレート変換後の動画像のＲＡＷデータの現像に使用する現像パラメータの値を決定する決定工程と、
フレームレート変換後の動画像のＲＡＷデータを、前記決定工程により決定された現像パラメータの値を用いて現像する現像工程と、
を有し、
前記決定工程は、フレームレート変換前の動画像のＲＡＷデータに関連付けられた現像パラメータの値のうちから、異常値を除外して、フレームレート変換後の動画像のＲＡＷデータの現像に使用する現像パラメータの値を決定することを特徴とする画像処理装置の制御方法。
【発明の詳細な説明】
【技術分野】
【０００１】
本発明は、画像処理装置及びその制御方法に関するものである。
【背景技術】
【０００２】
近年のデジタルカメラやカムコーダでは、ＣＣＤセンサやＣＭＯＳセンサ等の撮像素子から得られた画像情報を保持したデータ形式であるＲＡＷデータで撮影画像を記録することができるものがある。
【０００３】
ＲＡＷデータで保存した画像をモニタ等の表示装置で表示したり画像データとして外部機器に出力したりする場合、ＲＡＷデータを画像データへ変換する現像処理を行う必要がある。現像処理には、色深度変換処理、解像度変換処理、フレームレート変換処理、色空間処理、露出補正処理、ホワイトバランス調整処理等がある。
【０００４】
表示装置が表示可能な色深度、解像度及びフレームレートは、表示装置の性能に依存する。従って、表示装置で表示するためにＲＡＷデータの現像処理を行う場合は、色深度変換処理、フレームレート変換処理及び解像度変換処理については、表示装置の性能に応じて行う必要がある。
【０００５】
特許文献１には、ＲＡＷデータに対して、表示装置の性能に応じた色深度変換処理、フレームレート変換処理及び解像度変換処理を行い、表示装置に適した画像データを得ることを図った画像処理装置が記載されている。
【先行技術文献】
【特許文献】
【０００６】
【特許文献１】特開２００９−１７１０６０号公報
【発明の概要】
【発明が解決しようとする課題】
【０００７】
現像処理における各種現像パラメータの値は、撮影時にＲＡＷデータとともに記録される場合がある。動画像のＲＡＷデータに対しフレームレート変換を行う場合、フレームレート変換後の動画像のＲＡＷデータの現像に使用する現像パラメータの値も求める必要がある。
【０００８】
ここで、動画像の各フレーム画像のＲＡＷデータに関連付けられてＲＡＷデータとともに記録される現像パラメータの値に、異常値が含まる場合について考える。異常値とは、１フレーム乃至数フレームだけ存在する、動画像の全体的（平均的）な現像パラメータの値に対して著しく異なる値である。或いは、１フレーム乃至数フレームの間、現像パラメータの値が激しく変動する場合も異常値と考える。現像パラメータの値に異常値が現れる典型的な例としては、ストロボがたかれた時のホワイトバランスの値の瞬間的な変化を挙げることができる。なお、異常値が記録され得る現像パラメータは、ホワイトバランスに限らない。
【０００９】
このような動画像のＲＡＷデータに対し、フレームレートを低くするフレームレート変換と、現像処理とを行う場合を考える。
【００１０】
特許文献１に記載された画像処理装置では、まず現像処理が行われ、その後フレームレート変換が行われる。この場合、現像パラメータの値が異常値となっている箇所のフレー
ム画像のＲＡＷデータは、その前後にある現像パラメータの値が正常値である箇所のフレーム画像のＲＡＷデータとは大きく異なる現像パラメータの値を用いて現像される。そのため、大きく異なる現像パラメータを用いて現像された複数枚のフレーム画像に基づき、間引き処理や加重平均などにより、フレームレート変換後の動画像のフレーム画像を生成した場合、不自然なフレーム画像になる可能性がある。
【００１１】
これに対し、まず動画像のＲＡＷデータに対してフレームレート変換を行い、フレームレート変換後の動画像のＲＡＷデータを現像する方法が考えられる。この場合、フレームレート変換では、時間的な折り返しひずみを抑制するために、全てのフレーム画像のＲＡＷデータを用いて、フレームレート変換後の動画像のＲＡＷデータを生成することが好ましい。しかしながら、全てのフレーム画像のＲＡＷデータに関連付けられた現像パラメータの値を用いてフレームレート変換後の動画像のＲＡＷデータの現像に使用する現像パラメータの値を算出すると、異常値の影響が算出される現像パラメータの値に現れる。そのため、算出される現像パラメータの値を使用してフレームレート変換後の動画像のＲＡＷデータを現像すると、不自然な動画像データになる可能性がある。
【００１２】
本発明は、ＲＡＷデータに関連付けて記録された現像パラメータの値に異常値が含まれる動画像のＲＡＷデータに対し、フレームレートを低くするフレームレート変換及び現像を行い、好適な現像結果を得られる画像処理装置を提供することを目的とする。
【課題を解決するための手段】
【００１３】
本発明は、
複数のフレーム画像のＲＡＷデータと、各フレーム画像の撮影時に各フレーム画像のＲＡＷデータに関連付けて記録された現像パラメータの値のデータと、を含む動画像のＲＡＷデータに対し、フレームレートを低くするフレームレート変換を行う変換手段と、
フレームレート変換前の動画像のＲＡＷデータに関連付けられた現像パラメータの値に基づいて、フレームレート変換後の動画像のＲＡＷデータの現像に使用する現像パラメータの値を決定する決定手段と、
フレームレート変換後の動画像のＲＡＷデータを、前記決定手段により決定された現像パラメータの値を用いて現像する現像手段と、
を備え、
前記決定手段は、フレームレート変換前の動画像のＲＡＷデータに関連付けられた現像パラメータの値のうちから、異常値を除外して、フレームレート変換後の動画像のＲＡＷデータの現像に使用する現像パラメータの値を決定することを特徴とする画像処理装置である。
【００１４】
本発明は、
複数のフレーム画像のＲＡＷデータと、各フレーム画像の撮影時に各フレーム画像のＲＡＷデータに関連付けて記録された現像パラメータの値のデータと、を含む動画像のＲＡＷデータに対し、フレームレートを低くするフレームレート変換を行う変換工程と、
フレームレート変換前の動画像のＲＡＷデータに関連付けられた現像パラメータの値に基づいて、フレームレート変換後の動画像のＲＡＷデータの現像に使用する現像パラメータの値を決定する決定工程と、
フレームレート変換後の動画像のＲＡＷデータを、前記決定工程により決定された現像パラメータの値を用いて現像する現像工程と、
を有し、
前記決定工程は、フレームレート変換前の動画像のＲＡＷデータに関連付けられた現像パラメータの値のうちから、異常値を除外して、フレームレート変換後の動画像のＲＡＷデータの現像に使用する現像パラメータの値を決定することを特徴とする画像処理装置の制御方法である。
【発明の効果】
【００１５】
本発明によれば、ＲＡＷデータに関連付けて記録された現像パラメータの値に異常値が含まれる動画像のＲＡＷデータに対し、フレームレートを低くするフレームレート変換及び現像を行い、好適な現像結果を得られる画像処理装置を提供することができる。
【図面の簡単な説明】
【００１６】
【図１】実施例に係る画像処理装置の概略構成を示すブロック図
【図２】実施例に係るフレームレート変換処理及び現像パラメータ決定処理の概念図
【図３】実施例１に係るホワイトバランスと時刻の関係を示すグラフ
【図４】実施例１に係るホワイトバランスと時刻の関係を示すグラフ
【図５】実施例１に係る現像パラメータ決定処理のフローチャート
【図６】実施例２に係る現像パラメータ決定処理のフローチャート
【発明を実施するための形態】
【００１７】
以下、本発明の画像処理装置の実施例について図面を参照して詳細に説明する。本実施例の画像処理装置は、まず動画像のＲＡＷデータに対しフレームレート変換を行い、フレームレート変換後の動画像のＲＡＷデータを現像して動画像データを生成し、表示装置に表示する。
本実施例の画像処理装置は、フレームレート変換後の動画像のＲＡＷデータの現像に用いる現像パラメータの値を決定する方法に特徴がある。
【００１８】
本実施例のフレームレート変換は、変換前の動画像の複数のフレーム画像から、変換後の動画像の１枚のフレーム画像を生成することによりフレームレートを低くするフレームレート変換である。そして、フレームレート変換の処理対象の複数のフレーム画像のＲＡＷデータに関連付けられた現像パラメータの値に基づき、フレームレート変換後の動画像の１枚のフレーム画像のＲＡＷデータの現像に用いる現像パラメータの値を決定する。この際、処理対象の複数のフレーム画像のＲＡＷデータに関連付けられた現像パラメータの複数の値のうち、異常値は用いずに、フレームレート変換後の動画像の１枚のフレーム画像のＲＡＷデータの現像に用いる現像パラメータの値を決定する。異常値とは、１フレーム乃至数フレームにわたって、動画像全体の平均的な現像パラメータの値から大きく乖離した値である。ＲＡＷデータとともに記録される現像パラメータの値に異常値が含まれる場合としては、フラッシュがたかれたシーンで瞬間的にホワイトバランスの値が変化する例を挙げることができる。
【００１９】
本実施例の画像処理装置では、フレームレート変換後の動画像のＲＡＷデータの現像に使用する現像パラメータを算出する際に、フレームレート変換前の動画像に存在する異常値には基づかずに算出を行う。従って、算出される現像パラメータの値に、異常値の影響が現れることを抑制できる。このようにして決定された現像パラメータの値を用いて、フレームレート変換後の動画像のＲＡＷデータを現像することにより、撮影者の意図に沿った、自然な現像結果を得ることができる。
以下、上述したフレームレート変換処理及び現像パラメータ決定処理を行う本実施例の画像処理装置について、詳細に説明する。
【００２０】
図１は、実施例にかかる画像処理装置の概略の機能構成を示すブロック図である。この画像処理装置１は、フレームレート変換部１０、現像パラメータ決定部１１、現像部１２及び表示パネル１３を有する。
【００２１】
なお、本実施例では表示装置を有する画像処理装置の構成例を示すが、例えば外部機器に画像データや画像信号を出力する機能を有し表示装置を有しない構成の画像処理装置に
対しても本発明を適用できる。表示装置を有する構成の画像処理装置としては、デジタルテレビ、表示装置付きゲーム機、表示装置付きポータブルメディアプレーヤーなどを例示できる。表示装置を有しない構成の画像処理装置としては、ＤＶＤ／ＢＤプレーヤ、ＤＶＤ／ＢＤ／ＨＤＤレコーダ、パーソナルコンピュータなどを例示できる。
【００２２】
画像処理装置１に入力される動画像のＲＡＷデータ１５は、複数のフレーム画像のＲＡＷデータ１６と、各フレーム画像の撮像時にＲＡＷデータ１６と同時に記録された現像パラメータの値データ１７と、を含んで構成される。
【００２３】
本実施例では、フレームレート変換前の動画像のフレームレートは２４０ｆｐｓ、フレームレート変換後の動画像のフレームレートは表示パネル１３の表示可能なフレームレートである６０ｆｐｓとする。フレームレートを低くするフレームレート変換であれば、フレームレート変換後の動画像のフレームレート及びフレームレート変換前の動画像のフレームレートの値は上記の値に限らない。ここで、ｆｐｓ（ｆｒａｍｅ  ｐｅｒ  ｓｅｃｏｎｄ）は、１秒間のフレーム数を示す単位である。
【００２４】
フレームレート変換部１０は、フレームレート変換前の動画像の連続する４枚のフレーム画像のＲＡＷデータに基づき、１枚のフレーム画像のＲＡＷデータを生成し、現像部１２へ出力する（変換手段）。フレームレート変換前の動画像の連続する４枚のフレーム画像のＲＡＷデータは、フレームレート変換の処理対象の複数のフレーム画像のＲＡＷデータである。
【００２５】
現像パラメータ決定部１１は、フレームレート変換前の動画像の連続する４枚のフレーム画像のＲＡＷデータの撮影時に関連付けて記録された現像パラメータの４つの値に基づき、１つの現像パラメータの値を決定し、現像部１２へ出力する（決定手段）。
【００２６】
現像部１２は、フレームレート変換部１０から受けた、フレームレート変換後の動画像のフレーム画像のＲＡＷデータを、現像パラメータ決定部１１から受けた現像パラメータの値を用いて現像する（現像手段）。そして、現像部１２は、現像により得られた画像データを表示パネル１３へ出力する。
【００２７】
表示パネル１３は、現像部１２から入力される画像データを所定のフレームレート（ここでは６０ｆｐｓ）で表示する。
【００２８】
図２は、上述したフレームレート変換処理及び現像パラメータ決定処理を示す概念図である。図２において、入力動画像のＲＡＷデータ２０は、フレームレート変換の処理対象の複数のフレーム画像のＲＡＷデータ及びそれに関連付けられた、現像パラメータの値の決定に係る処理対象の現像パラメータの値を示す。出力動画像のＲＡＷデータ３０は、フレームレート変換後の動画像のＲＡＷデータ及びそれの現像に使用する現像パラメータの値として決定された現像パラメータの値を示す。
【００２９】
入力動画像のＲＡＷデータ２０は、上述したフレームレート変換処理及び現像パラメータ決定処理のルーチンで処理対象となる４枚のフレーム画像のＲＡＷデータ（２１〜２４）及びそれに関連付けられた現像パラメータの４つの値データ（２５〜２８）を含む。
【００３０】
出力動画像のＲＡＷデータ３０は、上述したフレームレート変換処理及び現像パラメータ決定処理のルーチンにより出力されるフレーム画像のＲＡＷデータ３１及びその現像に用いる現像パラメータの値データ３２を含む。出力動画像のＲＡＷデータ３０は、フレームレート変換後の動画像のフレーム画像を示す。
【００３１】
図２に即してフレームレート変換部１０及び現像パラメータ決定部１１の動作を説明すると、次のようになる。
フレームレート変換部１０は、フレームレート変換処理のルーチンで処理対象となる４枚のフレーム画像のＲＡＷデータ２１〜２４に基づき、フレームレート変換後の動画像のフレーム画像のＲＡＷデータ３１を生成する。
現像パラメータ決定部１１は、フレームレート変換処理のルーチンで処理対象となる４フレーム分の現像パラメータの値２５〜２８に基づき、フレームレート変換後の動画像のフレーム画像のＲＡＷデータの現像に用いる現像パラメータの値３２を決定する。
【００３２】
フレームレート変換部１０によるフレームレート変換処理の具体的な方法について説明する。
フレームレート変換部１０は、フレームレート変換処理のルーチンで処理対象となるフレームレート変換前の動画像の４枚のフレーム画像のＲＡＷデータに対し、単純間引き又は加重平均を行うことにより、フレームレート変換を行う。
【００３３】
単純間引きを行う場合、フレームレート変換部１０は、フレームレート変換処理のルーチンで処理対象となる４枚のフレーム画像のＲＡＷデータのうちから、１枚のフレーム画像のＲＡＷデータを選択する。そして、それをフレームレート変換後の動画像のフレーム画像のＲＡＷデータとする。
【００３４】
加重平均を行う場合、フレームレート変換部１０は、フレームレート変換処理のルーチンで処理対象となる４枚のフレーム画像のＲＡＷデータを合成して１枚のフレーム画像のＲＡＷデータを生成する。そして、それをフレームレート変換後の動画像のフレーム画像のＲＡＷデータとする。
【００３５】
いずれの方法でフレームレート変換を行うかは、ユーザが設定可能であっても良いし、予めいずれかの方法に固定されていても構わない。
【００３６】
（実施例１）
以下、実施例１における現像パラメータ決定部１１による現像パラメータ決定処理の具体的な方法について説明する。
現像パラメータ決定部１１による現像パラメータ決定方法は、フレームレート変換処理のルーチンで処理対象となる４枚のフレーム画像のＲＡＷデータに関連付けられた現像パラメータの４つの値の変化（ばらつき）に応じて異なる。以下、現像パラメータとして特にホワイトバランスを例に説明するが、撮影時にフレーム毎にＲＡＷデータに関連付けられて記録される現像パラメータであれば、現像パラメータの種類はホワイトバランスに限らない。
【００３７】
図３は、フレームレート変換処理のルーチンで処理対象となる４枚のフレーム画像のＲＡＷデータに対応する４つのホワイトバランスの値の変化を示す図ある。図３は、４フレーム分のホワイトバランスの値の変化が小さくほぼ均一の場合を示す。図３において、時刻ｔ０、ｔ１、ｔ２及びｔ３は撮影時刻を示す。また、値ｖ０、ｖ１、ｖ２及びｖ３は、それぞれ時刻ｔ０、ｔ１、ｔ２及びｔ３における撮影時にフレーム画像のＲＡＷデータとともに記録されたホワイトバランスの値を示す。
【００３８】
この場合、現像パラメータ決定部１１は、フレームレート変換処理のルーチンで処理対象となる４フレーム分のホワイトバランスの値を、フレームレート変換後の動画像のＲＡＷデータの現像に使用するホワイトバランスの値の決定処理に係る処理対象とする。そして、処理対象のホワイトバランスの４つの値に基づき、フレームレート変換後の動画像のＲＡＷデータの現像に用いるホワイトバランスの値を決定する。
【００３９】
例えば、現像パラメータ決定部１１は、処理対象の４フレーム分のホワイトバランスの値の平均値を算出し、それをフレームレート変換後の動画像のフレーム画像のＲＡＷデータの現像に用いるホワイトバランスの値として決定する。
【００４０】
或いは、現像パラメータ決定部１１は、処理対象の４フレーム分のホワイトバランスの値のうち、４フレーム分のホワイトバランスの値の平均値に近い値を選択する。そして、それをフレームレート変換後の動画像のフレーム画像のＲＡＷデータの現像に用いるホワイトバランスの値として決定する。
【００４１】
或いは、現像パラメータ決定部１１は、処理対象の４フレーム分のホワイトバランスの値のうち、特定位置のフレーム（撮影時刻が最初や最後のフレーム等）のホワイトバランスの値を選択する。そして、それをフレームレート変換後の動画像のフレーム画像のＲＡＷデータの現像に用いるホワイトバランスの値として決定する。
【００４２】
或いは、現像パラメータ決定部１１は、処理対象の４フレーム分のホワイトバランスの値のうち、前又は後のフレーム画像のＲＡＷデータに関連付けられたホワイトバランスの値に最も近い値を選択する。そして、それをフレームレート変換後の動画像のフレーム画像のＲＡＷデータの現像に用いるホワイトバランスの値として決定する。「前又は後のフレーム画像」とは、フレームレート変換前の動画像において、フレームレート変換の処理対象の４枚のフレーム画像の前又は後に位置するフレーム画像である。
【００４３】
フレームレート変換後の動画像のフレーム画像のＲＡＷデータの現像に用いるホワイトバランスの値の決定方法の選定は、ユーザが設定可能であっても良いし、予めいずれかの方法に固定されていても構わない。
【００４４】
図４は、フレームレート変換処理のルーチンで処理対象となる４枚のフレーム画像のＲＡＷデータに対応する４つのホワイトバランスの値の変化を示す図である。図４は、４フレーム分のホワイトバランスの値のうちに異常値が存在する場合、すなわち、４フレーム分のホワイトバランスの値のうち１つの値が他の値と比較して著しく異なる場合を示す。図４において、時刻ｔ４、ｔ５、ｔ６及びｔ７は撮影時刻を示す。また、値ｖ４、ｖ５、ｖ６及びｖ７は、それぞれ時刻ｔ４、ｔ５、ｔ６及びｔ７における撮影時にフレーム画像のＲＡＷデータとともに記録されたホワイトバランスの値を示す。フレームレート変換処理のルーチンで処理対象となる４フレーム分のホワイトバランスの値のうち、異常値は、時刻ｔ６における値ｖ６である。
【００４５】
この場合、現像パラメータ決定部１１は、フレームレート変換処理のルーチンで処理対象となる４フレーム分のホワイトバランスの値のうち、異常値を除外したものを、現像パラメータの値の決定に係る処理対象のホワイトバランスの値とする。そして、処理対象のホワイトバランスの値に基づいて、フレームレート変換後の動画像のフレーム画像のＲＡＷデータの現像に用いるホワイトバランスの値を決定する。
【００４６】
図４の例では、現像パラメータ決定部１１は、時刻ｔ６における値ｖ６を除いた、時刻ｔ４、ｔ５及びｔ７における３フレーム分のホワイトバランスの値ｖ４、ｖ５及びｖ７を現像パラメータ決定処理の処理対象とする。そして、処理対象の３フレーム分のホワイトバランスの値に基づいて、フレームレート変換後の動画像のフレーム画像のＲＡＷデータの現像に用いるホワイトバランスの値を決定する。
【００４７】
例えば、現像パラメータ決定部１１は、処理対象の３フレーム分のホワイトバランスの値の平均値を算出し、それをフレームレート変換後の動画像のフレーム画像のＲＡＷデー
タの現像に用いるホワイトバランスの値として決定する。
【００４８】
或いは、現像パラメータ決定部１１は、処理対象の３フレーム分のホワイトバランスの値のうち、当該３フレーム分のホワイトバランスの値の平均値に近い値を選択する。そして、それをフレームレート変換後の動画像のフレーム画像のＲＡＷデータの現像に用いるホワイトバランスの値として決定する。
【００４９】
或いは、現像パラメータ決定部１１は、処理対象の３フレーム分のホワイトバランスの値のうち、特定位置のフレーム（撮影時刻が最初や最後のフレーム等）のホワイトバランスの値を選択する。そして、フレームレート変換後の動画像のフレーム画像のＲＡＷデータの現像に用いるホワイトバランスの値として決定する。
【００５０】
或いは、現像パラメータ決定部１１は、処理対象の３フレーム分のホワイトバランスの値のうち、前後のフレーム画像のＲＡＷデータに関連付けられたホワイトバランスの値に近い値を選択する。そして、それをフレームレート変換後の動画像のフレーム画像のＲＡＷデータの現像に用いるホワイトバランスの値として決定する。「前後のフレーム」は、フレームレート変換前の動画像において、フレームレート変換処理のルーチンで処理対象としてここで着目している４フレームの直前又は直後にあるフレームである。
【００５１】
フレームレート変換後の動画像のフレーム画像のＲＡＷデータの現像に用いるホワイトバランスの値の決定方法の選定は、ユーザが設定可能であっても良いし、予めいずれかの方法に固定されていても構わない。また、異常値ｖ６を含まなければ、３フレーム分のホワイトバランスの値ｖ４、ｖ５及びｖ７の全てを、フレームレート変換後の動画像のフレーム画像のＲＡＷデータの現像に用いるホワイトバランスの値の算出に係る処理対象としなくても良い。
【００５２】
例えば、ｖ４及びｖ５の平均値をフレームレート変換後の動画像のフレーム画像のＲＡＷデータの現像に用いるホワイトバランスの値としても良い。また、ｖ４及びｖ７の平均値をフレームレート変換後の動画像のフレーム画像のＲＡＷデータの現像に用いるホワイトバランスの値としても良い。
【００５３】
なお、図３においてホワイトバランスの値の変化が小さいか否かの判断や、図４においてホワイトバランスの或る値が他の値より著しく異なるか否かの判断（異常値の有無の判断）は、閾値に基づいて行う。閾値は、ユーザが設定可能であっても良いし、固定値でも構わない。
【００５４】
次に、上述した現像パラメータ決定処理の流れについて、図５に示すフローチャートも参照して詳細に説明する。図５は、現像パラメータ決定部１１が行う、現像パラメータ決定処理のルーチンを表すフローチャートの一例である。
【００５５】
Ｓ５００において、現像パラメータ決定部１１は、動画像のＲＡＷデータ１５に含まれる現像パラメータの値データ１７から、今回の現像パラメータ決定処理のルーチンで処理対象となる４フレーム分の現像パラメータの値データを抽出する。この現像パラメータ決定処理は、動画像のフレームレートを２４０ｆｐｓから６０ｆｐｓへ変換するフレームレート変換処理に関連して行われる処理である。従って、現像パラメータ決定部１１が抽出する現像パラメータの値データは、連続する４フレーム分の現像パラメータの値データ１７である。連続する４フレームの全てのフレーム画像のＲＡＷデータ１６の撮影時に現像パラメータの値データが同時記録されている場合、抽出される現像パラメータの値データは４つである。
【００５６】
Ｓ５０１において、現像パラメータ決定部１１は、Ｓ５００にて抽出した４フレーム分の現像パラメータの値データの各々からホワイトバランスの値を抽出する。
【００５７】
その後、Ｓ５０２において、現像パラメータ決定部１１は、Ｓ５０１で抽出したホワイトバランスの４つの値に基づき、連続するフレームのホワイトバランスの値の差を求める。ここで、抽出したホワイトバランスの４つの値を、撮影時刻の早い方から順にｖ１１、ｖ１２、ｖ１３及びｖ１４とする。また、前回の現像パラメータ決定処理のルーチンで決定された、１フレーム前のフレームレート変換後の動画像のフレーム画像のＲＡＷデータの現像に用いるホワイトバランスの値をｖ１０とする。
【００５８】
現像パラメータ決定部１１は、前回の現像パラメータ決定処理のルーチンで決定されたホワイトバランスの値ｖ１０と、Ｓ５０１で抽出した４フレーム分のホワイトバランスの値のうち１フレーム目の値ｖ１１と、の差の絶対値｜ｖ１０−ｖ１１｜を求める。また、Ｓ５０１で抽出した４フレーム分のホワイトバランスの値のうち連続するフレームのホワイトバランスの値同士の差の絶対値、すなわち｜ｖ１０−ｖ１１｜、｜ｖ１１−ｖ１２｜、｜ｖ１２−ｖ１３｜及び｜ｖ１３−ｖ１４｜を求める。
【００５９】
そして、Ｓ５０３にて、現像パラメータ決定部１１は、Ｓ５０２で求めた差の絶対値と閾値とを比較する。閾値は、ユーザ設定でも固定値でも構わない。
【００６０】
比較の結果、Ｓ５０２で求めた差の絶対値（例えば｜ｖ１０−ｖ１１｜とする）が閾値以下の場合、現像パラメータ決定部１１は、Ｓ５０４に進む。Ｓ５０４にて、現像パラメータ決定部１１は、値ｖ１１を、フレームレート変換後の動画像のフレーム画像のＲＡＷデータの現像に用いるホワイトバランスの値の算出に用いるホワイトバランスの値として保持する。
【００６１】
一方、比較の結果、Ｓ５０２で求めた差の絶対値（例えば｜ｖ１０−ｖ１１｜とする）が閾値を超える場合、現像パラメータ決定部１１は、Ｓ５０５に進む。Ｓ５０５にて、現像パラメータ決定部１１は、値ｖ１１を、フレームレート変換後の動画像のフレーム画像のＲＡＷデータの現像に用いるホワイトバランスの値の算出に用いるホワイトバランスの値から除外する。
【００６２】
現像パラメータ決定部１１は、Ｓ５０２で求めた差の絶対値のうち閾値との比較を行っていないものがある場合、Ｓ５０３に戻り、上記と同様に閾値との比較を行う。そして、差の絶対値が閾値以下の場合には、当該差の絶対値を求めたホワイトバランスの値を、フレームレート変換後の動画像のフレーム画像のＲＡＷデータの現像に用いるホワイトバランスの値の算出に用いる値として保持する。
【００６３】
また、差の絶対値が閾値を超える場合には、当該差の絶対値を求めたホワイトバランスの値を、フレームレート変換後の動画像のフレーム画像のＲＡＷデータの現像に用いるホワイトバランスの値の算出に用いる値から除外する。こうして、現像パラメータ決定部１１は、Ｓ５０１で抽出したホワイトバランスの４つの値全てについて、フレームレート変換後の動画像のフレーム画像のＲＡＷデータの現像に用いるホワイトバランスの値の算出に用いるか否かの判断を行う。
【００６４】
この判断方法によれば、図３の場合、閾値を適当に設定することにより、｜ｖ０−ｖ１｜、｜ｖ１−ｖ２｜及び｜ｖ２−ｖ３｜が閾値以下となる。そして、ｖ０、ｖ１、ｖ２及びｖ３が、フレームレート変換後の動画像のフレーム画像のＲＡＷデータの現像に用いるホワイトバランスの値の算出に用いる値として保持される。
【００６５】
一方、図４の場合、閾値を適当に設定することにより、｜ｖ４−ｖ５｜が閾値以下となり、ｖ４、ｖ５が、フレームレート変換後の動画像のフレーム画像のＲＡＷデータの現像に用いるホワイトバランスの値の算出に用いる値として保持される。一方、｜ｖ５−ｖ６｜及び｜ｖ６−ｖ７｜が閾値を超え、ｖ５、ｖ６及びｖ７が、フレームレート変換後の動画像のフレーム画像のＲＡＷデータの現像に用いるホワイトバランスの値の算出に用いる値から除外される。結局、ｖ４が、フレームレート変換後の動画像のフレーム画像のＲＡＷデータの現像に用いるホワイトバランスの値の算出に用いる値として保持される。
【００６６】
ここで、Ｓ５０１で抽出した４フレーム分のホワイトバランスの値の各々について、フレームレート変換後の動画像のフレーム画像のＲＡＷデータの現像に用いるホワイトバランスの値の算出に用いる値として保持するか判断する方法は、上述した方法に限らない。
【００６７】
例えば、Ｓ５０１で抽出した４フレーム分のホワイトバランスの値の平均値との差に基づいて、フレームレート変換後の動画像のフレーム画像のＲＡＷデータの現像に用いるホワイトバランスの値の算出に用いる値として保持するか否かを判断しても良い。例えば、Ｓ５０１で抽出した４フレーム分のホワイトバランスの値のうち、前記平均値との差の絶対値が閾値以下の値を、フレームレート変換後の動画像のフレーム画像のＲＡＷデータの現像に用いるホワイトバランスの値の算出に用いる値として保持する。
【００６８】
この判断方法によれば、図４の場合、閾値を適当に設定することにより、４つのホワイトバランスの値の平均値ｖ’に対し、｜ｖ４−ｖ’｜、｜ｖ５−ｖ’｜及び｜ｖ７−ｖ’｜が閾値以下となり、｜ｖ６−ｖ’｜が閾値を超える。この場合、ｖ４、ｖ５及びｖ７が、フレームレート変換後の動画像のフレーム画像のＲＡＷデータの現像に用いるホワイトバランスの値の算出に用いる値として保持される。また、ｖ６はフレームレート変換後の動画像のフレーム画像のＲＡＷデータの現像に用いるホワイトバランスの値の算出に用いる値から除外される。
【００６９】
或いは、前回の現像パラメータ決定処理のルーチンで決定した、１フレーム前のフレームレート変換前の動画像のフレーム画像のＲＡＷデータの現像に用いるホワイトバランスの値との差に基づいて判断しても良い。例えば、Ｓ５０１で抽出した４フレーム分のホワイトバランスの値のうち、前回のルーチンで決定したホワイトバランスの値との差の絶対値が閾値以下の値を、ホワイトバランスの値の算出に用いる値として保持する。
【００７０】
この判断方法によれば、図４の場合、閾値を適当に設定することにより、１フレーム前のフレームレート変換後の動画像のフレーム画像のＲＡＷデータの現像に用いるホワイトバランスの値をｖ１０として、｜ｖ６−ｖ１０｜が閾値を超える。また、｜ｖ４−ｖ１０｜、｜ｖ５−ｖ１０｜及び｜ｖ７−ｖ１０｜が閾値以下となる。この場合、ｖ４、ｖ５及びｖ７が、フレームレート変換後の動画像のフレーム画像のＲＡＷデータの現像に用いるホワイトバランスの値の算出に用いる値として保持される。また、ｖ６はフレームレート変換後の動画像のフレーム画像のＲＡＷデータの現像に用いるホワイトバランスの値の算出に用いる値から除外される。
【００７１】
Ｓ５０１で抽出した４フレーム分のホワイトバランスの値全てについて、フレームレート変換後の動画像のフレーム画像のＲＡＷデータの現像に用いるホワイトバランスの値の算出に用いるか否かの判断を行った後、現像パラメータ決定部１１は、Ｓ５０６に進む。
【００７２】
Ｓ５０６にて、現像パラメータ決定部１１は、フレームレート変換後の動画像のフレーム画像のＲＡＷデータの現像に用いるホワイトバランスの値を決定する。フレームレート変換後の動画像のフレーム画像のＲＡＷデータの現像に用いるホワイトバランスの値の決定方法は、現像パラメータ決定部１１が持つ。
【００７３】
現像パラメータ決定部１１は、例えば、Ｓ５０４にて保持したホワイトバランスの値の平均値を算出し、これをフレームレート変換後の動画像のフレーム画像のＲＡＷデータの現像に用いるホワイトバランスの値として決定する。
【００７４】
或いは、現像パラメータ決定部１１は、Ｓ５０４にて保持したホワイトバランスの値のうち、当該保持したホワイトバランスの値の平均値に一番近い値を一つ選択する。そして、これをフレームレート変換後の動画像のフレーム画像のＲＡＷデータの現像に用いるホワイトバランスの値として決定する。
【００７５】
或いは、現像パラメータ決定部１１は、Ｓ５０４にて保持したホワイトバランスの値のうち、特定位置のフレーム（撮影時刻が最初や最後のフレーム等）のホワイトバランスの値を選択する。そして、これをフレームレート変換後の動画像のフレーム画像のＲＡＷデータの現像に用いるホワイトバランスの値として決定する。
【００７６】
或いは、現像パラメータ決定部１１は、Ｓ５０４にて保持したホワイトバランスの値のうち、前後のフレーム画像のＲＡＷデータに関連付けられたホワイトバランスの値に近い値を選択する。そして、フレームレート変換後の動画像のフレーム画像のＲＡＷデータの現像に用いるホワイトバランスの値として決定する。
このうち何れかの決定方法をユーザが選択しても良いし、いずれかの決定方法で固定にしても構わない。
【００７７】
その後、Ｓ５０７にて、現像パラメータ決定部１１は、決定したホワイトバランスの値を保存し、現像部１２へ出力する。Ｓ５０７にて保存したホワイトバランスの値は、次回のフレームレート変換処理ルーチン実行時に、上述した「１フレーム前のフレームレート変換後の動画像のフレーム画像のＲＡＷデータの現像に用いるホワイトバランスの値」として必要に応じて使用される。
【００７８】
（実施例２）
次に、現像パラメータ決定処理のルーチンで処理対象となる複数の現像パラメータの値のほとんど或いは全てが互いに著しく異なる場合について説明する。また、フレームレート変換処理のルーチンで処理対象となるフレーム群のうちに、フレーム画像のＲＡＷデータとともに現像パラメータの値が記録されていないフレームが存在する場合についても説明する。すなわち、フレームレート変換処理のルーチンで処理対象となるフレーム数と、現像パラメータ決定処理のルーチンで処理対象となる現像パラメータの値データの数と、が異なる場合である。これは、フレームレート変換処理の処理対象の複数のフレーム画像のＲＡＷデータに関連付けられた現像パラメータの値が存在しない場合も含む。
【００７９】
画像処理装置の構成は図１に示す実施例１の画像処理装置の構成と同様である。実施例１と同様、現像パラメータとして特にホワイトバランスを例に説明する。また、フレームレート変換は、実施例１と同様、２４０ｆｐｓから６０ｆｐｓへの変換とする。
【００８０】
図６のフローチャートを用いて、本実施例に係る現像パラメータ決定処理の流れについて詳細に説明する。図６は、現像パラメータ決定部１１が行う、現像パラメータ決定処理のルーチンを表すフローチャートの一例である。
【００８１】
Ｓ６００において、現像パラメータ決定部１１は、フレームレート変換前の動画像のＲＡＷデータ１５に含まれる現像パラメータの値データ１７から、今回の現像パラメータ決定処理のルーチンで処理対象となる４フレーム分の現像パラメータの値データを抽出する。Ｓ６００の処理内容は、実施例１のＳ５００と同様である。
【００８２】
Ｓ６０１において、現像パラメータ決定部１１は、Ｓ６００にて抽出した４フレーム分の現像パラメータの値データの各々からホワイトバランスの値を抽出する。
【００８３】
その後、Ｓ６０２にて、現像パラメータ決定部１１は、Ｓ６０１にてホワイトバランスの値を抽出できたか否かを判断する。ホワイトバランスの値を抽出できなかったと判断した場合、現像パラメータ決定部１１は、Ｓ６０３の処理を実行する。
【００８４】
Ｓ６０３にて、現像パラメータ決定部１１は、フレームレート変換前の動画像において、今回の現像パラメータ決定処理のルーチンで処理対象となるホワイトバランスの値が関連付けられたフレーム群の前又は後にあるフレームを特定する。そして、当該フレーム画像のＲＡＷデータに関連付けられた現像パラメータの値データを動画像のＲＡＷデータ１５から抽出する。
【００８５】
その後、Ｓ６１４にて、現像パラメータ決定部１１は、フレームレート変換後の動画像のフレーム画像のＲＡＷデータの現像に使用するホワイトバランスの値を決定する。Ｓ６１４の処理内容については後述する。
【００８６】
Ｓ６０２にて、ホワイトバランスの値を抽出できたと判断した場合、現像パラメータ決定部１１は、Ｓ６０４にて、抽出できたホワイトバランスの値の数が１個だけであったか否かを判断する。
Ｓ６０４にて、ホワイトバランスの数が１個だけであったと判断した場合、現像パラメータ決定部１１は、Ｓ６０５の処理を実行する。
【００８７】
Ｓ６０５にて、現像パラメータ決定部１１は、Ｓ６０１で抽出したホワイトバランスの値と、前又は後のフレーム画像のＲＡＷデータに関連付けられたホワイトバランスの値と、の相関をとるか否かを判断する。「前後のフレーム画像」とは、今回の現像パラメータ決定処理のルーチンで処理対象となるホワイトバランスの値が関連付けられたフレーム群の前又は後のフレーム画像である。相関をとるか否かの判断は、ユーザによる設定又は固定の設定に従って行われる。
【００８８】
Ｓ６０５にて、相関をとらないと判断した場合、現像パラメータ決定部１１は、Ｓ６１４にて、フレームレート変換後の動画像のフレーム画像のＲＡＷデータの現像に使用するホワイトバランスの値を決定する。この場合、現像パラメータ決定部１１は、Ｓ６０１にて抽出したホワイトバランスの値を、フレームレート変換後の動画像のフレーム画像のＲＡＷデータの現像に使用するホワイトバランスの値として決定する。
【００８９】
Ｓ６０５にて、相関をとると判断した場合、現像パラメータ決定部１１は、Ｓ６０７の処理を実行する。Ｓ６０７にて、現像パラメータ決定部１１は、Ｓ６０１にて抽出したホワイトバランスの値と、前記前又は後のフレーム画像のＲＡＷデータに関連付けられたホワイトバランスの値と、の差を求める。
【００９０】
Ｓ６０４にて、Ｓ６０１にて抽出したホワイトバランスの値が複数あったと判断した場合、現像パラメータ決定部１１は、Ｓ６０６において、Ｓ６０１にて抽出した複数のホワイトバランスの値同士の差の絶対値を求める。ここでは、実施例１のＳ５０２と同様、連続する２つのフレーム又は最も近接する２つのフレームに対応するホワイトバランスの値の差の絶対値を求める。
【００９１】
その後、Ｓ６０８にて、現像パラメータ決定部１１は、Ｓ６０６またはＳ６０７で求めた差の絶対値が閾値以下であるか否かを判断する。
【００９２】
差の絶対値が閾値以下であると判断した場合、現像パラメータ決定部１１は、Ｓ６０９にて、当該差の絶対値を求めたホワイトバランスの値を、ホワイトバランスの値の算出に用いる値として保持する。
差の絶対値が閾値を超えると判断した場合は、現像パラメータ決定部１１は、Ｓ６１０にて、当該差の絶対値を求めたホワイトバランスの値を、ホワイトバランスの値の算出に用いる値から除外する。
閾値は、ユーザが設定可能であっても良いし、固定値であっても良い。
【００９３】
そして、Ｓ６１１にて、現像パラメータ決定部１１は、Ｓ６０６又はＳ６０７で求めた差の絶対値の全てについて閾値との比較を行ったか判断する。現像パラメータ決定部１１は、Ｓ６０６又はＳ６０７で求めた差の絶対値のうち閾値との比較を行っていないものがある場合、Ｓ６０８に戻り、上記と同様に閾値との比較を行う。そして、差の絶対値が閾値以下の場合には、当該差の絶対値を求めたホワイトバランスの値を、フレームレート変換後の動画像のフレーム画像のＲＡＷデータの現像に用いるホワイトバランスの値の算出に用いる値として保持する。また、差の絶対値が閾値を超える場合には、当該差の絶対値を求めたホワイトバランスの値を、フレームレート変換後の動画像のフレーム画像のＲＡＷデータの現像に用いるホワイトバランスの値の算出に用いる値から除外する。こうして、現像パラメータ決定部１１は、Ｓ６０１で抽出したホワイトバランスの値全てについて、フレームレート変換後の動画像のフレーム画像のＲＡＷデータの現像に用いるホワイトバランスの値の算出に用いるか否かの判断を行う。
【００９４】
Ｓ６０１で抽出したホワイトバランスの値全てについて、フレームレート変換後の動画像のフレーム画像のＲＡＷデータの現像に用いるホワイトバランスの値の算出に用いるか判断した場合、現像パラメータ決定部１１は、Ｓ６１２の処理を行う。
【００９５】
Ｓ６１２において、現像パラメータ決定部１１は、フレームレート変換後の動画像のフレーム画像のＲＡＷデータの現像に用いるホワイトバランスの値の算出に用いる値として保持しているホワイトバランスの値があるか判断する。
【００９６】
Ｓ６１２において、保持しているホワイトバランスの値が無いと判断した場合、現像パラメータ決定部１１は、Ｓ６１３の処理に進む。保持しているホワイトバランスの値が無い場合とは、即ち、Ｓ６０１で抽出したホワイトバランスの値同士がいずれも著しく異なり、差の絶対値が全て閾値を超えている場合である。
【００９７】
Ｓ６１３において、現像パラメータ決定部１１は、今回の現像パラメータ決定処理のルーチンで処理対象となる現像パラメータに関連付けられたフレーム群の前又は後にあるフレームに関連付けられた現像パラメータの値データを抽出する。そして、Ｓ６１４にて、現像パラメータ決定部１１は、前記フレーム群の前後にあるフレームに関連付けられた現像パラメータの値データからホワイトバランスの値を抽出する。そして、当該抽出したホワイトバランスの値を、フレームレート変換後の動画像のフレーム画像のＲＡＷデータの現像に用いるホワイトバランスの値として決定する。
【００９８】
一方、Ｓ６１２において保持しているホワイトバランスの値があると判断した場合、現像パラメータ決定部１１は、Ｓ６１４に進む。Ｓ６１４にて、現像パラメータ決定部１１は、前記保持しているホワイトバランスの値を用いて、フレームレート変換後の動画像のフレーム画像のＲＡＷデータの現像に用いるホワイトバランスの値を決定する。
【００９９】
この場合、現像パラメータ決定部１１は、例えば、前記保持しているホワイトバランスの値の平均値を算出し、それをフレームレート変換後の動画像のフレーム画像のＲＡＷデ
ータの現像に用いるホワイトバランスの値として決定する。
【０１００】
或いは、現像パラメータ決定部１１は、前記保持しているホワイトバランスの値のうち、その平均値に一番近い値を選択する。そして、それをフレームレート変換後の動画像のフレーム画像のＲＡＷデータの現像に用いるホワイトバランスの値として決定する。
【０１０１】
或いは、現像パラメータ決定部１１は、前記保持しているホワイトバランスの値のうち、撮影時刻が最初又は最後のフレームの値を選択する。そして、それをフレームレート変換後の動画像のフレーム画像のＲＡＷデータの現像に用いるホワイトバランスの値として決定する。
これらの決定方法のいずれを用いるかは、ユーザが設定可能であっても良いし、いずれかの方法に固定されていても良い。
【０１０２】
その後、現像パラメータ決定部１１は、Ｓ６１５にて、前記Ｓ６１４にて決定したパラメータを保存し、現像部１２へ出力する。
【０１０３】
以上述べた実施例に係る画像処理装置及びその制御方法によれば、以下の効果を奏する。撮影時に記録されたホワイトバランスが一瞬大きく変動したり、常時激しく変動したりする動画像のＲＡＷデータに対し、フレームレートを低くするフレームレート変換処理及び現像処理を行っても、ユーザの意図した自然な画像データを出力できる。
【符号の説明】
【０１０４】
１０  フレームレート変換部、１１  現像パラメータ決定部、１２  現像部
【図１】
2012084956.tif 000003
【図２】
2012084956.tif 000004
【図３】
2012084956.tif 000005
【図４】
2012084956.tif 000006
【図５】
2012084956.tif 000007
【図６】
2012084956.tif 000008